(57)【要約】【課題】車載ディスプレイ等、広範囲で、照度が変化するディスプレイ装置において、適宜表示視認性の改善および高画質化を図ること。【解決手段】照度検出手段６により使用する環境の周囲照度の変化を検出すると同時に、映像特徴検出手段２により入力映像の輝度の平均値、最大値、最小値等の映像特徴を検出する。照度変化が速く大きい場合には、順応制御手段７では検出照度の変化に対し所定のＬＰＦ演算により順応ターゲット特性を算出しこれを目標値として、照度・映像適応制御手段３により入力映像の映像特徴を考慮しながら、映像信号処理に対する制御とディスプレイの輝度制御とを適応的に行う。【選択図】図１
2006285064.tif 000002
【特許請求の範囲】
【請求項１】
入力映像信号をディスプレイパネルに表示し、周囲照度に応じて表示状態を制御する機能を有している画像表示装置であって、
前記入力映像信号に対して、予め定めたコントラスト調整とブライトネス調整を行う信号処理手段と、
前記入力映像信号の１フィールド毎の映像特徴情報を検出する映像特徴検出手段と、
周囲の明るさの変化を検出する照度検出手段と、
前記照度検出手段から得られる照度の変化に応じて、所定の順応ターゲット特性を算出する順応制御手段と、
画面の表示輝度を制御することのできるディスプレイパネルと、
前記ディスプレイパネルに対し表示輝度を制御するディスプレイパネル輝度制御手段と、
前記信号処理手段と前記ディスプレイパネル輝度制御手段を、前記順応ターゲット特性に従って適応制御する照度・映像適応制御手段とを備え、
前記順応ターゲット特性を制御目標値としたうえで、前記映像特徴検出手段で検出された映像特徴情報に応じて、
前記信号処理手段に対する制御と、前記ディスプレイパネル輝度制御手段に対する調光制御とを適応的に行うようにしたことを特徴とする画像表示装置。
【請求項２】
前記順応制御手段では、前記照度検出手段から得られる照度信号に対し、前記照度信号の変化方向に応じて、各々異なる所定のローパスフィルター演算を施すことによって得られる信号を、前記順応ターゲット特性とするようにしたことを特徴とする請求項１記載の画像表示装置。
【請求項３】
前記映像特徴検出手段では、前記入力映像信号の映像特徴情報として少なくとも、輝度信号の平均輝度レベルおよび最大値および最小値の各特徴値を検出するものとし、
前記照度・映像適応制御手段では、内部制御目標値を設定するものとし、
前記各特徴値と前記内部制御目標値を掛け合わせた値が、前記順応ターゲット特性に比例関係となるよう前記内部制御目標値を制御することにより、
前記順応ターゲット特性の制御期間中に前記入力映像信号のシーン変化が生じた場合であっても、前記ディスプレイパネルの表示輝度が前記順応ターゲット特性に追従するように制御することを特徴とする請求項１、２記載の画像表示装置。
【請求項４】
前記映像特徴検出手段では、前記入力映像信号の映像特徴情報として、輝度レベルの分布状態とその時間的経過状態から、映像シーンの明るさ情報として検出し前記順応制御手段へ入力するものとし、
前記順応制御手段では、前記映像シーンの明るさ情報に応じて、前記ローパスフィルター演算の演算パラメータおよび前記順応ターゲット特性を制御することにより、
照度の変化に加え前記入力映像信号の明るさにも適応して、前記順応ターゲット特性を算出するようにしたことを特徴とする請求項１、２、３記載の画像表示装置。
【請求項５】
前記信号処理手段、前記映像特徴検出手段、前記照度・映像適応制御手段、前記順応制御手段、前記照度検出手段、前記ディスプレイパネル輝度制御手段を有することを特徴とする請求項１に記載の単数、又は複数の集積回路。
【発明の詳細な説明】
【技術分野】
【０００１】
本発明は、使用環境や表示内容に応じてその表示状態を制御することのできる画像表示装置に関するものである。
【背景技術】
【０００２】
直射日光照射から暗闇までの幅広い照度範囲で使用する車載ディスプレイ装置等においては、使用する周囲環境の明るさの状態に応じて、画像の視認性を改善する目的で、ディスプレイ装置周辺の照度をセンシングし、明るさに応じて液晶ディスプレイのバックライト調光を制御するディマーといわれる機能が従来から広く採用されている。
図１３にトンネルの出入り口等におけるような照度変化の場合の、従来例でのディマーによる調光制御の一例動作を示す。この例では、微小な照度変化では反応しないように、最低１秒以上継続する照度変化を検出し、それによる１秒程度のタイムラグをもって、照度に対応した数１０段階の調光制御を行っている。
【０００３】
また、トンネルの出入り口部の走行時など、使用環境照度が急激に大きく変化するような場合において、使用者の瞳孔の時間的変化すなわち人間の眼の順応特性を考慮して輝度制御を行う表示制御技術が提案をされている。（例えば、特許文献１および２参照）
【特許文献１】特開平７−２３４６５６号公報
【特許文献２】特開平７−１１７５５９号公報
【発明の開示】
【発明が解決しようとする課題】
【０００４】
しかしながら、特許文献１に記載されている車載ディスプレイ装置における順応制御の場合では、周囲光量の変動時間関数に対応した視覚者の瞳孔開量の時間関数を、予め４〜８パターン定めてＲＯＭテーブルに格納しておき、これを周囲光量の変化状況に応じてより近いものを選択し適用する方法であり、実際のトンネル個々の照明状態やその時の天候状況、自動車のトンネルへの突入突出速度、トンネル以外の場合におけるあらゆる同様な急激な照度変化での変化条件等を考慮すると、その照度変化の状況を充分カバーできるものとはいい難いと考えられる。
図１１にこの車載ディスプレイ装置の構成図を、図１２にトンネルの出入り口での表示輝度制御を説明する図を示す。
これらの図からもわかるように、その順応制御期間中およびその前後の入力映像信号の状態変化は考慮されておらず、順応制御中に入力映像のシーン変化等によって画像の平均輝度が著しく変化したような場合、バックライト輝度の調光制御や駆動による輝度制御のみの順応制御であれば、ディスプレイ画面上の表示輝度状態は、所望の人間の視覚特性に対応した順応制御特性を充分確保できないという課題がある。
特許文献２に記載の車載ディスプレイにおける順応制御の場合でも同様の課題が存在する。
【０００５】
本発明の目的は、以上のような課題を改善するためになされたものであり、照度変化の変化速度や変化状況だけでなく、同時にその入力映像の映像的特徴の変化をも考慮し、常に最適な順応制御を行い視認性の改善および高画質化を図ることができる画像表示装置を実現するものである。
【課題を解決するための手段】
【０００６】
本発明に係る画像表示装置は、入力映像信号に対して、予め定めたコントラスト調整とブライトネス調整を行う信号処理手段と、入力映像信号の１フィールド毎の映像特徴情報を検出する映像特徴検出手段と、周囲の明るさの変化を検出する照度検出手段と、照度検出手段から得られる照度の変化に応じて、所定の順応ターゲット特性を算出する順応制御手段と、画面の表示輝度を制御することのできるディスプレイパネルと、ディスプレイパネルに対し表示輝度を制御するディスプレイパネル輝度制御手段と、信号処理手段とディスプレイパネル輝度制御手段を、順応ターゲット特性に従って適応制御する照度・映像適応制御手段とを備えるものである。
【０００７】
そして、照度・映像適応制御手段において、映像特徴検出手段で検出された入力映像信号の映像特徴を考慮して、最終的なディスプレイパネルの表示輝度が、順応ターゲット特性に追従するように内部制御目標値を制御し、この内部制御目標値により、信号処理手段に対する制御と、ディスプレイパネル輝度制御手段に対する調光制御とを適応的に行うようにするものである。
【０００８】
また、順応制御手段において、映像特徴検出手段で検出された映像シーンの変動状況やその明るさを考慮して、適宜順応ターゲット特性そのものを制御するようにしたものである。
【発明の効果】
【０００９】
本発明によれば、使用環境の照度変化の検出を行い、これにより照度変化状況に応じた最適な順応ターゲット特性を算出し制御目標値とし、同時に入力映像の映像特徴の変化状況を検出し映像状態を考慮して、ディスプレイの最終表示輝度が順応ターゲット特性に相当するよう、適宜映像信号処理およびディスプレイの輝度制御を行うようにしたので、トンネルの出入り口等のような急激な大きな照度変化のある場合においても、常にその個々の照度変化状態に最適な順応ターゲット特性を設定し制御することができる。さらに、順応制御中にその表示映像のシーン変化等による輝度変化があっても、その影響を抑えかつ映像の特徴に適応した最適な順応制御を実現することができ、その表示視認性を向上させることができる。
【発明を実施するための最良の形態】
【００１０】
以下、本発明に係る画像表示装置について、図面を参照しながら説明する。以下の各実施の形態では、ディスプレイ装置の一例として液晶表示装置を例に説明するが、本発明が適用される画像表示装置はこの例に特に限定されず、ディスプレイの表示輝度の制御手段を有するものであれば、有機ＥＬ（エレクトロルミネッセンス）表示装置やＰＤＰ（プラズマディスプレイ）表示装置等にも同様に適用可能である。
（実施の形態１）
図１は、本発明の第１実施形態による画像表示装置の構成を示すブロック図である。図１の画像表示装置は、信号処理手段１、映像特徴検出手段２、照度・映像適応制御手段３、ディスプレイパネル４、ディスプレイパネル輝度制御手段５、照度検出手段６、順応制御手段７を備える。以降ディスプレイパネル４が液晶ディスプレイである車載ディスプレイ装置の場合について説明を行う。液晶ディスプレイの場合、ディスプレイパネル輝度制御手段５は、液晶ディスプレイのバックライトの輝度調光を行うものとなる。また、図１の９は、映像信号処理機能付ディスプレーパネルである。
【００１１】
信号処理手段１には、Ｒ，Ｇ，Ｂの各色成分に分離された入力映像信号が入力され、映像信号に対するコントラスト制御、ブライトネス制御等の映像信号処理が施されてディスプレイパネル４へと出力される。映像信号処理された入力映像信号は、ディスプレイパネル輝度制御手段５により輝度制御（バックライト調光制御）されるディスプレイパネル４に映像として表示される。
尚、本実施形態では、入力映像信号の信号形態をＲＧＢ信号としているが、システムによっては、輝度信号と色差信号（Ｙ色差信号）であってもよく、あるいは輝度信号と明度信号と色彩度信号の組み合わせの信号（ＨＳＶ信号）等であってもよい。それらの場合は、信号処理手段１および映像特徴検出手段２が、それらに対応した形のものとなる。
照度検出手段６は、ディスプレイパネル表示面近傍に取り付けられた照度センサーにより、所定の周期（例えば１フィールド毎）でその使用環境の照度変化を検出しＡＤ変換され、ディジタルデータの照度信号として、順応制御手段７に入力される。
順応制御手段７は、照度信号の変化状態から所定の順応ターゲット特性を算出し、照度・映像適応制御手段３に入力する。
映像特徴検出手段２は、入力映像信号から、映像信号の全体の平均的な明るさやダイナミックレンジ、明るさの分布状態等の映像特徴を、１フィールド単位で検出するものであり、ここでは、例えば輝度信号の最大値、最小値、平均値等の特徴情報を検出するものとする。照度・映像適応制御手段３は、最終的にディスプレイパネルの表示輝度が、順応制御手段７により設定される順応制御の目標特性（順応ターゲット特性）となるよう、信号処理手段１に対する信号処理制御と輝度制御手段５に対する調光制御とを、適宜最適に制御するように動作を行うものである。
【００１２】
以上のように構成された、画像表示装置において、使用環境の照度が急変した場合の順応制御についてその動作を説明する。
まず、照度検出手段６において、ディスプレイ装置全体の車両の中での設置位置、照度センサーの取り付け状態等を考慮して、センサーの検出範囲およびその特性を図４に示すように設定する。この例では８ｂｉｔのディジタル値として実際の照度に対する補正照度信号（ターゲット値の可変範囲）が図のような特性で規定される。このようにして、順応ターゲット特性を設定する最小値や最大値のクリップ設定や、センサー特性の補正等が設定される。
実際には、センサー出力をＡＤ変換したデータをこのようなデータテーブルに通して変換することになる。こうして規定された照度信号が順応制御手段７に、所定の周期（例えば１フィールド毎）で入力される。
この際に、予めノイズや微小な照度変化分を平滑化するＬＰＦを通しておく。
順応制御手段７においては、このように変換された照度信号を所定の周期（例えば１フィールド毎）で観測し、所定の変化量以上変化した場合に、順応制御処理を行うものと判断を行い、照度信号の変化から順応ターゲット特性を算出する。具体的には、入力される照度信号が所定量以上かつ所定時間以上連続して同一方向に変化した場合、順応制御を行うべき照度変化があったものと判定する。この判定を行う照度変化量の閾値については、適宜可変設定できるものとする。そして、この変化方向が、照度が高いレベルから低いレベルへと変化した場合は暗順応制御とし、逆方向の場合は明順応制御とする。
照度信号の変化から順応ターゲット特性を算出する方法については、照度信号の変化に対し、ローパスフィルター（ＬＰＦ）演算を行うことによって順応ターゲット特性を算出すし、この順応ターゲット特性を順応制御特性として代用する。理想的な順応特性と厳密に一致させることは困難ではあるが、例えばＩＩＲ型のＬＰＦ演算を行い、フィルターの次数や時定数を適宜調整する、あるいは複数特性のフィルター演算を切り換えて加減算を加える等の演算を施すことにより、ある程度理想特性に近い特性を持たせることができる。このように照度変化から演算により算出することで、あらゆる照度変化に対し対応することのできる順応ターゲット特性を算出することができるだけでなく、特性の調整が容易となる。
図５はこの照度信号の変化から順応ターゲット特性の算出例を図示したものである。図５(a) は、実際の照度変化に対し照度検出手段６において、図４のような前記所定の変換処理を施された照度信号の時間的変化の様子である。このような照度変化に対し、順応制御手段７において図５(ｃ)に示すように、照度が大きく低下した場合は、例えば１５秒程度で収束するような特性をもつ順応ターゲット特性（暗順応特性）を算出する。逆に、照度が大きく上昇した場合は、４秒程度で収束するような特性をもつ順応ターゲット特性（明順応特性）を算出する。
ここで、順応制御手段７に対し外部より設定される順応特性調整値により、暗順応用ＬＰＦおよび明順応用ＬＰＦの各々の特性や時定数等が適宜設定されることにより、必要により、順応制御の変化特性や収束時間等を自由に調整することが可能となる。
【００１３】
次に照度・映像適応制御手段３の動作について説明する。照度・映像適応制御手段３では、規定の信号レベルの信号をディスプレイパネルに入力した場合に、ディスプレイパネルに表示される輝度が規定の輝度レベル（目標輝度）になるよう、信号処理手段１に対する信号処理制御と、ディスプレイパネル輝度制御手段５に対する調光制御が、映像特徴検出手段２で得られる特徴情報に応じて映像適応制御（ＡＩ処理）されるようになっている。これを図６、図７を用いて説明する。図６は全体に明るい入力画像の例で、入力信号の輝度の最大値、最小値、平均値の映像特徴情報を元に、入力画像のダイナミックレンジを振幅拡大（コントラスト制御）し、所定のレンジに収まるようなオフセット制御（ブライトネス制御）が行われる。これらの処理による本来の入力画像の平均値レベルの変動分を調光制御により相殺されるようにバックライト輝度アップの動作を行う。
図７は全体に暗い入力画像の場合の例で、図６の場合と同様の概念で処理が行われるが、この場合はブライトネス制御と調光制御が、それぞれ図６の場合と逆方向に行われることになる。
このように映像適応制御（ＡＩ処理）では、入力映像信号の映像的特徴に応じて、信号振幅を拡大し同時に調光制御されるため、映像のコントラスト感が向上し、黒はより黒く、白はより白い映像となる良好な信号処理が行われるものである。
以上のような映像適応制御（ＡＩ処理）を行う場合に、入力画像の平均輝度レベルが、信号処理のコントラスト制御やブライトネス制御を行っても維持されるように規定する値が、目標輝度である。
照度・映像適応制御手段３においては、順応制御手段７により算出される順応ターゲット特性を、そのままこの目標輝度に設定をして前記のような映像適応制御を実施することにより、映像適応制御と順応制御を両立することができるようになる。
【００１４】
これにより、映像適応制御（ＡＩ処理）を行いながら、順応制御を実施することができるため、照度が安定をしている状態の時だけでなく、照度変化があって順応制御を行う場合でも、常に映像適応制御を行うことができるようになり、照度変化の前後で違和感のない、順応制御を実施することができるものである。
また、照度検出手段６において任意に照度信号の範囲と特性（順応制御の対象範囲とその特性）を規定することができるため、ディスプレイの設置位置、センサー取り付け位置等に伴う検出範囲の調整や、ディスプレイの最小表示輝度および最大表示輝度等の調整が容易に実施できる。
さらに、順応ターゲット特性を照度信号からＬＰＦ演算により算出するようにしたことにより、あらゆる照度変化の状態に対しても対応することができるだけでなく、順応ターゲット特性の特性そのものや時定数等を容易に調整することができるものである。
【００１５】
尚、図1のように、前記信号処理手段、前記映像特徴検出手段、前記照度・映像適応制御手段、前記順応制御手段、前記照度検出手段、前記ディスプレイパネル輝度制御手段、を単数、又は複数の集積回路にまとめることも可能である。
（実施の形態２）
次に、本発明の第２実施形態による画像表示装置とその表示方法について説明する。
図２は本発明の第２実施形態による画像表示装置の構成を示すブロック図である。
図２に示す画像表示装置と図１に示す画像表示装置とで異なる点は、映像特徴検出手段２ａおよび画像・映像適応制御手段３ａの各々の内部動作が変更されている点である。その他の点は、図１に示す画像表示装置と同様であるので、同一部分には同一符号を付して詳細な説明は省略する。
【００１６】
従来例で示されているような、入力映像信号の映像特徴を考慮しない、順応制御の場合で、順応制御期間中に映像のシーンが変化した時の状態について示した図が図８である。図８(ｂ)の図は、入力映像信号の輝度平均値の時間変化を示したもので、映像のシーンが変わった時等の映像が急に暗くなったり明るくなったりする映像の特徴変化を示しているものである。図８(a)のような照度変化があった場合に、図８(ｃ)の実線に示されるような順応制御が行われるが、ここで図８(ｂ)に示すように暗順応期間中に入力映像のシーン変化により急に明るくなった場合、実際にディスプレイパネルの表示輝度は、図８(ｃ)の点線のように明るさの変化が反映されてしまう。映像表現を忠実に再現する上においては、これが本来の表示ではあるが、使用環境の照度が急変した場合に、人間の眼の視覚特性に合わせて視認性を改善するという観点においては、好ましくない。
そこで、本実施形態による画像表示装置の表示方法は、画像・映像適応制御手段３ａにおいて、入力映像のシーン変化や明るさの急激な変化を考慮して、映像適応制御を行うようにしたものである。この制御の様子を示したのが図９である。
映像特徴検出手段２ａでは、入力映像の特徴情報として映像特徴検出手段２に加えて、映像シーンの変化や急激な明るさの変化が所定量以上あった場合、これを検出して画像・映像適応制御手段３ａへ入力されるようになっている。
画像・映像適応制御手段３ａでは、順応制御期間中に、図９(ｂ)に示すようなシーン変化による入力映像の明るさの変化を検出した場合には、最終的なディスプレイの表示輝度特性が図９(ｃ)実線のような順応ターゲット特性になるように、シーン変化による信号レベルの変化を考慮して、図９(ｃ)点線のように内部制御目標値を制御して、映像適応制御を実施するものである。すなわち、入力映像の平均輝度が図９(ｂ)の基準レベルで一定であれば、順応制御手段７より入力される順応ターゲット特性をそのまま内部制御目標値とすればよいが、順応制御期間中に平均輝度の変化があった場合には、この変化分を考慮して（言い換えれば、入力映像信号の平均輝度値と内部制御目標値を掛け合わしたものが、常に順応ターゲット特性に比例関係となるように）内部制御目標値を制御するものである。このようにして制御された内部制御目標値を、実施形態１で説明した目標輝度に設定をして、映像適応制御（ＡＩ処理）を行うようにする。
【００１７】
これにより、順応制御期間中に入力映像のシーン変化による輝度の変化があった場合でも、その影響を抑えた良好な順応制御とすることができ、人間の眼の視覚特性面から理想的な順応制御を実施することができるものである。
【００１８】
尚、図２のように、前記信号処理手段、前記映像特徴検出手段、前記照度・映像適応制御手段、前記順応制御手段、前記照度検出手段、前記ディスプレイパネル輝度制御手段、を単数、又は複数の集積回路にまとめることも可能である。
（実施の形態３）
次に、本発明の第３実施形態による画像表示装置とその表示方法について説明する。
図３は本発明の第３実施形態による画像表示装置の構成を示すブロック図である。
図３に示す画像表示装置と図１に示す画像表示装置とで異なる点は、映像特徴検出手段２ｂおよび順応制御手段７ｂの各々の内部動作が変更されている点と、順応制御手段７ｂの順応特性の制御が、外部からの調整ではなく、映像特徴検出手段２ｂからの特徴情報によりなされるようになっている点である。その他の点は、図１に示す画像表示装置と同様であるので、同一部分には同一符号を付して詳細な説明は省略する。
【００１９】
実施形態１および２では、順応ターゲット特性は、照度変化に対して所定のＬＰＦ演算によって算出するようにしており、必要により外部よりコントロールされる順応特性調整値によってＬＰＦ演算のパラメータを制御する構成としていた。これに対し、本実施形態による画像表示装置の表示方法は、映像特徴検出手段２ｂにより検出される映像特徴情報により、適宜自動的に順応ターゲット特性自体を制御するようにしたものである。
すなわち、実施形態２では入力される映像信号が順応制御期間中にシーン変化等で輝度レベルが大きく変化するような場合への対応であったが、本実施形態では、順応制御期間中の変化ではなく、入力映像信号として、現在全体的に明るいシーンであるもしくは暗いシーンであるというように、偏りのある映像が入力されている場合に、順応ターゲット特性自体を適応的に制御するものである。
映像特徴検出手段２ｂでは、入力映像の特徴情報として映像特徴検出手段２に加えて、映像の全体的な明るさの分布状況が検出される。これは簡易的には例えば、輝度の最小値がどのレベルであるか、かつ平均値が最小値と最大値のどちらよりに位置しているかという具合に、輝度の最小値、最大値、平均値から概ね算出するようにしてもよいし、より詳細には信号レベルのヒストグラムを算出して判断するようにしてもよい。そしてこの明るさ情報から、所定時間過去から連続して所定のレベルで継続している場合に、これを映像シーンの明るさ情報として、順応制御手段７ｂに入力する。そしてこの映像シーンの明るさ情報と最小値、最大値、平均値等の映像特徴が画像・映像適応制御手段３へ入力される。順応制御手段７ｂでは、入力された映像シーンの明るさ情報を元に、順応ターゲット特性を算出するＬＰＦ演算の演算パラメータが適宜変更され、その演算パラメータにて照度変化から順応ターゲット特性が算出される。
画像・映像適応制御手段３では、実施形態１で説明したものと同一の制御が行われる。ここでは、画像・映像適応制御手段は実施形態１と同一としたが、実施形態２と同一として、実施形態２と本実施形態を組み合わせた制御とすることも可能である。
【００２０】
実際の制御の例としては、順応制御は人間の眼の瞳孔が開いたり閉じたりする特性に対応させることであるから、暗順応では瞳孔が開くのに時間が多少必要であることに起因しているので、入力映像シーンが暗ければ、暗順応時間を多少長めにし、逆に入力映像が明るいシーンであれば、暗順応時間を多少短めにして、順応制御期間中の表示輝度の積分値が標準的な明るさにおける標準時定数の場合とほぼ同等になるように制御する。
逆に、明順応では瞳孔が絞られる時間は比較的早いことに起因しているので、入力映像が暗いシーンであれば、明順応時間はより早くし、逆に入力映像が明るいシーンであれば、明順応時間を多少長めすることで、表示輝度として十分な光量を確保するように制御することが視認性の面から適切と考えられる。
【００２１】
この様に、入力映像信号の映像特徴に応じて、順応ターゲット特性を制御する例を、図１０に示した。図１０(a)は、入力映像の平均輝度レベルが標準的な場合の例で、この場合は順応制御手段７ｂでは、標準の時定数の暗順応特性および明順応特性が、順応ターゲット特性として設定される。図１０(ｂ)は、入力映像の平均輝度レベルが暗い（暗いシーン）場合の例であり、暗順応特性は標準よりやや長めに調整され、明順応特性は標準よりやや短めに調整される。図１０(ｃ)は、入力映像の平均輝度レベルが明るい（明るいシーン）場合の例であり、暗順応特性は標準よりやや短めに調整され、明順応特性は標準よりやや長めに調整される。このように、順応制御の前後の映像シーン状態を考慮することで、より理想的な順応制御が実現できる。
【００２２】
次に暗順応ターゲット特性の収束値の制御について説明する。上記の説明では、順応特性の時定数についてのみ説明しているが、入力映像の映像特徴の明るさレベルに応じて、暗順応ターゲット特性の収束値。すなわち、トンネルに入ってトンネル内部で照度が安定している期間の順応ターゲット値を入力映像信号の明るさレベルに応じて調整するものである。具体的には、図１０(ｂ)のように、入力映像が暗いシーンの場合には、収束値レベルもやや高めに設定し、図１０(ｃ)のように入力映像が明るいシーンの場合には、収束値レベルもやや低めに設定するものである。
【００２３】
これにより、順応制御期間中における入力映像のシーンの全体的な明るさに応じて、順応ターゲット特性自体を適応的に調整できるため、入力映像の映像的特徴の影響を抑えた良好な順応制御とすることができ、人間の眼の視覚特性面から理想的な順応制御を実施することができるものである。
【００２４】
尚、図３のように、前記信号処理手段、前記映像特徴検出手段、前記照度・映像適応制御手段、前記順応制御手段、前記照度検出手段、前記ディスプレイパネル輝度制御手段、を単数、又は複数の集積回路にまとめることも可能である。
【産業上の利用可能性】
【００２５】
本発明に係る画像表示装置は、車載用ディスプレイなど、使用する環境の照度範囲が非常に広く、かつ激しく変化することが想定される用途における映像表示機器に適用して有用である。
【図面の簡単な説明】
【００２６】
【図１】本発明の第１実施形態による画像表示装置の構成を示すブロック図
【図２】本発明の第２実施形態による画像表示装置の構成を示すブロック図
【図３】本発明の第３実施形態による画像表示装置の構成を示すブロック図
【図４】図１に示す照度検出手段における照度信号の補正変換の設定例を示す特性図
【図５】図１に示す順応制御手段における順応ターゲット特性の算出例を説明する特性図
【図６】図１に示す照度・映像適応制御手段における映像適応制御の制御例（明るい入力画像の場合）を説明する模式図
【図７】図１に示す照度・映像適応制御手段における映像適応制御の制御例（暗い入力画像の場合）を説明する模式図
【図８】図２に示す画像表示装置の構成において、映像特徴を考慮しない場合の順応制御による表示輝度の一例を説明する説明図
【図９】図２に示す照度・映像適応制御手段における内部制御目標値の補正制御の一例を説明する説明図
【図１０】図３に示す順応制御手段における順応ターゲット特性の映像特徴による制御の一例を説明する説明図
【図１１】従来例の表示装置の構成を示すブロック図
【図１２】従来例の表示装置における表示輝度の順応制御例を示す特性図
【図１３】順応制御のない従来例の調光制御（ディマー）の制御例を示す特性図
【符号の説明】
【００２７】
１    信号処理手段
２    映像特徴検出手段
３    照度・映像適応制御手段
４    ディスプレイパネル
５    ディスプレイパネル輝度制御手段
６    照度検出手段
７    順応制御手段
８    集積回路
９    映像信号処理機能付ディスプレーパネル
【図１】
2006285064.tif 000003
【図２】
2006285064.tif 000004
【図３】
2006285064.tif 000005
【図４】
2006285064.tif 000006
【図５】
2006285064.tif 000007
【図６】
2006285064.tif 000008
【図７】
2006285064.tif 000009
【図８】
2006285064.tif 000010
【図９】
2006285064.tif 000011
【図１０】
2006285064.tif 000012
【図１１】
2006285064.tif 000013
【図１２】
2006285064.tif 000014
【図１３】
2006285064.tif 000015